(57)【特許請求の範囲】
【請求項１】
書籍類の表紙体を覆うカバー本体を備えたブックカバーにおいて、
前記カバー本体は、皮革製の表シートと、この表シートの裏側に位置する裏シートと、表シート及び裏シートの間に設けられ、これらシートと略同一の平面積に形成されたクッションシートとを備え、
前記カバー本体に内部シートを設けて前記表紙体を差し込み可能な収容部を形成し、前記収容部にポケットを設け、このポケットは、前記内部シートに形成されたスリット又はスロットと、前記内部シートに重ねられてスリット又はスロットから差し込まれる紙葉片に面接触可能な滑り止めシートとを備えていることを特徴とするブックカバー。
【発明の詳細な説明】
【技術分野】
【０００１】
本発明は、ブックカバーに係り、更に詳しくは、書籍類の表紙体を保護することができるブックカバーに関する。
【背景技術】
【０００２】
従来より、書籍の表紙体が汚れたり破損したりすることから保護するため、ブックカバーが利用されている（特許文献１参照）。かかるブックカバーとしては、その外観の美しさや高級感、耐久性等の様々な理由から、皮革製のシートを用いて作製されたものが広く普及している。具体的には、ブックカバーは、一枚の皮革製シートにより表紙体の外面側を覆うようになっている。
【特許文献１】特許３３８２６０９号公報
【発明の開示】
【発明が解決しようとする課題】
【０００３】
しかしながら、このようなブックカバーにあっては、書籍に装着して当該書籍を持ちながら読むときに、ブックカバーの手触りが硬くなり、指先や手の平で滑り易くなったり、掴み難くなったりする、という不都合を招来する。これは、皮革製シート自体が弾力性に乏しいため、厚み方向に圧縮変形し難いことに起因する。
【０００４】
［発明の目的］
本発明は、このような不都合に着目して案出されたものであり、その目的は、皮革の質感を表出させることができ、且つ、書籍類に装着したときに、手触りが良く、書籍類を持ち易くすることができるブックカバーを提供することにある。
【課題を解決するための手段】
【０００５】
前記目的を達成するため、本発明は、書籍類の表紙体を覆うカバー本体を備えたブックカバーにおいて、
前記カバー本体は、皮革製の表シートと、この表シートの裏側に位置する裏シートと、表シート及び裏シートの間に設けられ、これらシートと略同一の平面積に形成されたクッションシートとを備え、
前記カバー本体に内部シートを設けて前記表紙体を差し込み可能な収容部を形成し、前記収容部にポケットを設け、このポケットは、前記内部シートに形成されたスリット又はスロットと、前記内部シートに重ねられてスリット又はスロットから差し込まれる紙葉片に面接触可能な滑り止めシートとを備える、という構成が採用されている。
【発明の効果】
【０００７】
本発明によれば、表シートによる皮革の高級で美的な外観を呈することができ、且つ、ブックカバーを装着した書籍類を持った際、クッションシートがその弾力性により圧縮変形し、手触りを柔らかく、良好な感触とすることができる。しかも、表シートが指先等を恰も包むように作用させることができるので、指先等で滑ったりすることを回避でき、書籍を持ち易くさせることが可能となる。更には、クッションシートの緩衝作用により表紙体を保護することができる他、表シートが損傷することも抑制可能となる。
【０００８】
また、収容部のポケットに滑り止めシートを設けたので、スリット又はスロットから差し込まれる紙葉片が不用意に抜け出すことを防止することができる。
【０００９】
なお、本明細書における位置若しくは方向を示す用語は、特に明示しない限り、図１を平面視した場合を基準として用いられ、「左」、「右」は、同図中矢印Ｂ方向について用いられ、「上」、「下」は、同図中矢印Ｃ方向について用いられる。
【発明を実施するための最良の形態】
【００１０】
以下、本発明の好ましい実施の形態について図面を参照しながら説明する。
【００１１】
図１には、実施形態に係るブックカバーが表紙体に取り付けられる前の概略斜視図が示され、図２には、図１のＡ−Ａ線に沿う拡大断面図が示されている。これらの図において、ブックカバー１０は、書籍類としての本１１の表表紙１２、裏表紙１３及び背表紙１４からなる表紙体１５に装着可能に設けられている。このブックカバー１０は、表紙体１５を覆う平面形状となるカバー本体１７と、このカバー本体１７の内面側に形成されて表表紙１２及び裏表紙１３を差し込み可能な左右一対の収容部１８，１８と、カバー本体１７の図１中右端側に設けられたしおりシート１９とを備えて構成されている。
【００１２】
前記カバー本体１７は、表紙体１５より若干大きい平面形状を備えた表シートＳ１と、当該表シートＳ１の裏側に位置する裏シートＳ２と、表シートＳ１及び裏シートＳ２の間に設けられたクッションシートＳ３とを備えている。表シートＳ１、裏シートＳ２及びクッションシートＳ３は、略同一、すなわち、表紙体１５より若干大きい平面積にそれぞれ形成され、重ねた状態で外周縁側を縫合することにより一体化されている。
【００１３】
前記表シートＳ１は、羊の皮等の天然皮革又は合成皮革からなるが、外観上の見栄えを考慮すると、天然皮革を用いることが好ましい。表シートＳ１は、指先で容易に折ったり変形させたりすることができ、且つ、簡単に平面状に復元できる程度の硬さ及び厚みに設けられている。裏シートＳ２は、本実施形態では合成皮革により構成したが、表シートＳ１と同様に天然皮革としたり、合成繊維や天然繊維を用いた布或いはシート材としてもよい。
【００１４】
前記クッションシートＳ３は、指先の力で容易に圧縮変形可能な弾性を有する素材シートにより構成されている。具体的には、ウレタン等の合成樹脂からなる多孔質材及び発泡体の他、ポリエステル、アクリル等の合成繊維及び綿等の天然繊維を用いた不織布等が例示できる。クッションシートＳ３の厚みは、特に限定されるものでないが、表シートＳ１及び裏シートＳ２より厚く形成することが好ましい。
【００１５】
前記各収容部１８，１８は、本１１の内方端側を開放する一縁開放型のポケット状に設けられている。具体的には、各収容部１８，１８は、表表紙１２及び裏表紙１３より短い左右幅となる内部シートＳ４を裏シートＳ２に重ね、当該内部シートＳ４の三辺に沿う位置を前記各シートＳ１〜Ｓ３と共に縫合することにより形成されている。ここで、右側の収容部１８には、紙葉片Ｐを収容可能なポケット２２が設けられている。
【００１６】
前記ポケット２２は、収容部１８の上下方向中間部で左右に延びるスリット２３と、内部シートＳ４の図２中下面側に重ねられた滑り止めシート２４とを備えている。滑り止めシート２４は、その面に紙葉片Ｐとの摩擦抵抗を高めるべく、凹凸等の処理が施されたり、天然ゴムや合成ゴム等の素材により構成されている。滑り止めシート２４は、スリット２３を含む内部シートＳ４の下方領域に設けられている。従って、上方からスリット２３に差し込まれる紙葉片Ｐが滑り止めシート２４に面接触可能となり、紙葉片Ｐが不用意に抜け出ることを防止するようになっている。なお、紙葉片Ｐとしては、カードや切符、診察券等が例示できる。
【００１７】
前記しおりシート１９は、本実施形態では、表シートＳ１と同じ素材からなり、本１１の頁間に差し込み可能となっている。しおりシート１９の左右長さは、カバー本体１７の左右長さを１／２とした長さより若干短く形成されている。
【００１８】
以上の構成において、ブックカバー１０を本１１に装着する場合、本１１を開き、表表紙１２及び裏表紙１３を収容部１８，１８に差し込めばよい。これにより、表紙体１５の外面側がカバー本体１７により覆われることとなる。この状態で、本１１を手に持って読む場合、カバー本体１７の指先や手の平が当たる領域でクッションシートＳ３が圧縮され、ソフトな心地よい手触りを実現することができる。また、クッションシートＳ３が圧縮することで、カバー本体１７が指先を包むようになってグリップ力が増すように作用させることができる。これにより、本１１を開いた状態に維持するための指先等の力を軽減することができ、本１１が持ち易くなるばかりでなく、読書をすることを促進する効果も期待することができる。
【００１９】
従って、このような実施形態によれば、前述のように持ち易くしつつ、表シートＳ１が皮革製となるので、高級な質感や美感を表出させて商品価値を高めることもできる。しかも、クッションシートＳ３が弾性的に圧縮及びその復元するので、表紙体１５をより良く保護できるばかりでなく、表シートＳ１に意図しない外力が加わっても、当該外力を緩衝して表シートＳ１の損傷を防止することが可能となる。
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２１】
前記実施形態では、書籍類を本１１としたが、これに限られるものでなく、本以外の書籍の他、手帳やノート、パスポート、冊子等、複数枚の紙片の端部を綴じ込んだものを全て含む。また、表紙体１５は、背表紙１４がないタイプのものであってもよい。
更に、前記収容部１８は、カバー本体１７の左右何れか一方だけに設け、表表紙１２及び裏表紙１３の一方だけを収容するようにしてもよい。
また、前記スリット２３は、長孔状のスロットに代えてもよい。
【図面の簡単な説明】
【００２２】
【図１】実施形態に係るブックカバーが表紙体に取り付けられる前の概略斜視図。
【図２】図１のＡ−Ａ線に沿う拡大断面図。
【符号の説明】
【００２３】
１０・・・ブックカバー、１１・・・本（書籍類）、１５・・・表紙体、１７・・・カバー本体、１８・・・収容部、２２・・・ポケット、２３・・・スリット、２４・・・滑り止めシート、Ｐ・・・紙葉片、Ｓ１・・・表シート、Ｓ２・・・裏シート、Ｓ３・・・クッションシート、Ｓ４・・・内部シート
【図１】
0005084545.tif 000002
【図２】
0005084545.tif 000003